(57)【特許請求の範囲】
【請求項１】
ゲートの下端部とトラフのスカム流入用開口部の下辺を形成する下側壁との間及び前記ゲートの両側端部と前記トラフの前記開口部の両側辺を形成する両側壁との間を水密状態に保つシール部材を備え、前記ゲートを水平軸周りに前記ゲートの上端が前記沈殿池の水面よりも上側に起立する閉鎖位置から前記ゲートの上端が前記水面よりも下方に沈下する開放位置まで回動させて前記沈殿池の水面に浮いているスカムを前記トラフ内に流入させるスカム除去装置において、
前記ゲートの下部に水の通過を許さない水密軸受けを設けるとともに、前記シール部材に前記トラフの開口部の下辺及び両側辺に沿って連続し、かつ、前記開口部の下側壁及び両側壁から前記ゲート側に突出して、閉鎖位置に回動された前記ゲートに密着するものを用いたことを特徴とするスカム除去装置。
【発明の詳細な説明】
【０００１】
【発明の属する技術分野】
本発明は、例えば、下水処理場等の沈殿池に設けられるスカム除去装置に係り、特に、トラフ内への漏水を防止する手段を備えたものに関する。
【０００２】
【従来の技術】
図４は、下水処理場等の沈殿池に設けられる従来のスカム除去装置の断面図であって、スカムの移動方向（図４の丸数字１の符号で示す矢印の方向）に平行に縦断面して示されている。
【０００３】
図４に示すように、トラフ１は、沈殿池ａの水面部分に設けられていて、上面に開口するほか、沈殿池ａからスカムを流入させるための開口部１ａを有し、スカムＳがスクレーパｂで掻寄せられてきたときに、実線で示されている閉鎖位置にあるゲート２を図４の丸数字２の符号で示す矢印の方向に鎖線で示されている開放位置まで回動させて、スカムＳをトラフ１内に流入させるように構成されている。
【０００４】
このゲート２は、その下端部がトラフ１の開口部１ａの下辺を形成する下側壁１ｂと、合成ゴムあるいは天然ゴム等からなるシール部材を兼ねるシート状の可撓性の接続部材３で接続されている。したがって、ゲート２は、ゲート２の上端側に設けられている取付部２ａに取付けられている操作棒（図示せず）を図示しない駆動機構で駆動することにより、接続部材３を中心にして、図４の実線で示される閉鎖位置と二点鎖線で示される開放位置との間を回動させることができる。
【０００５】
図５は、上記図４に示されるトラフ１、ゲート２及び接続部材３の一側端部（図示の例では、図４の沈殿池からトラフを見た場合の右側の端部）の拡大斜視図である。接続部材３は、図４に示すように、ゲート２の下辺とトラフの下側壁１ｂとの間からの水の流入を防止する底面部を有するほか、図５から明らかなように、ゲート２の側辺とトラフ１の両側壁１ｃとの間からの水の流入を防止する側面部３ａを有している。したがって、接続部材３により、ゲート２の下辺及び側辺とトラフ１の開口部１ａの周辺との間からのトラフ内への水の漏水を効果的に防止することができる。
【０００６】
なお、図５中、４ａ，４ｂは、側面部３ａをトラフ１及びゲート２にそれぞれ取付けるための当板である。すなわち、接続部材３の側面部３ａは、これら当板４ａとトラフ１の間及び当板４ｂとゲート２の間にそれぞれ介在させた状態でボルト・ナットＢにより取付けられている。また、接続部材３の側面部３ａ以外の部分（底面部）も当板を用いてトラフ１及びゲート２にそれぞれ取付けられているが、ここでは省略されている。
【０００７】
【発明が解決しようとする課題】
しかしながら、上記従来のスカム除去装置において、接続部材３はゴム製であるので、経年変化（劣化）により、また、ゲートの回動により劣化が進行しやすいという性質を有している。したがって、接続部材が破損すると、その破損部からトラフへ漏水が生じ、スカム濃度を低下させ、その後のスカム処理の負荷を高めてしまうという不都合が生じる。
【０００８】
そこで、本発明は、上記欠点を解決するためになされたものであって、その目的は、ゲートの回動を良好に維持できる状態で、トラフへの漏水を確実に防止することのできるスカム除去装置を提供することにある。
【０００９】
【課題を解決するための手段】
本発明は、上記目的を達成するために、ゲートの下端部とトラフのスカム流入用開口部の下辺を形成する下側壁との間及び前記ゲートの両側端部と前記トラフの前記開口部の両側辺を形成する両側壁との間を水密状態に保つシール部材を備え、前記ゲートを水平軸周りに前記ゲートの上端が前記沈殿池の水面よりも上側に起立する閉鎖位置から前記ゲートの上端が前記水面よりも下方に沈下する開放位置まで回動させて前記沈殿池の水面に浮いているスカムを前記トラフ内に流入させるスカム除去装置において、前記ゲートの下部に水の通過を許さない水密軸受けを設けるとともに、前記シール部材に前記トラフの開口部の下辺及び両側辺に沿って連続し、かつ、前記開口部の下側壁及び両側壁から前記ゲート側に突出して、閉鎖位置に回動された前記ゲートに密着するものを用いたことを特徴としている。
【００１０】
【発明の実施の形態】
以下、本発明の実施の形態を図面に基づいて説明する。なお、上記図４及び図５に示されたのと同一の構成部材には同一の符号を付して説明する。
【００１１】
図１（ａ）は、下水処理場等の沈殿池ａに設けられている一実施の形態に係るスカム除去装置のトラフの縦断面図、同図（ｂ）は、閉鎖位置にあるゲート及びトラフの一側端部の拡大斜視図である。
【００１２】
トラフ１は、上記図４に示されると同様に、沈殿池ａの水面部分に設けられていて、図示しないスクレーパでスカムが掻寄せられてきたときに、ゲート２を矢印で示されるように下端部の水平軸周りに開放位置まで回動させて、トラフ１内にスカムを流入させるように構成されている。
【００１３】
このゲート２は、下端部がトラフ１の開口部１ａの近傍に設けられている水密軸受け１０を介して回動自在に設けられている。この水密軸受け１０は、図２に分解して示されるように、ゲート２に設けられた外周が円形に形成されたＩ部１０ａと、トラフ１に設けられた外周がＩ部１０ａの外周と同じ円形を有するクレビス部１０ｂと、クレビス部１０ｂ間に設けられ、上記外周の円形と同じ円形を有する筒部１０ｃと、Ｉ部１０ａ、クレビス部１０ｂ及び筒部１０ｃに設けられた孔に貫通して保持される支軸１０ｄとから構成されている。したがって、水密軸受け１０は、支軸１０ｄの長手方向と直交する方向に断面したゲート２の下部の形状が図１（ａ）に示されるように、円形に形成されていて、その円形の部分がトラフ１に固定して設けられたＬ字状のシール部材１１に受入れられて当接されるように構成されている。
【００１４】
このシール部材１１は、ＭＣナイロン等の合成樹脂製からなり、Ｌ字状の内側にゲート２の下部が位置するように、支持部材１２を介してトラフ１に取付けられている。したがって、ゲート２の下部は、シール部材１１に対して２箇所で当接されている。すなわち、一つの当接箇所はシール部材１１の垂直面に、他の当接箇所は、シール部材１１の水平面にあって、水密性を高めている。
【００１５】
図中、１３は、上記シール部材１１と同じ材質からなるシール部材であって、トラフ１の開口部１ａの周辺に沿って連続し、当板１４を介して取付けられている。すなわち、このシール部材１３は、図１（ａ）に示されるように、開口部１ａの下辺を形成する下側壁１ｂ及び同図（ｂ）に示されるように、開口部１ａの両側辺を形成する両側壁１ｃ（図１（ｂ）は、開口部の一方側しか示していないが、他方側も同様に構成されている。）に、それらの壁からゲート側に突出させて設けられている（図１（ｂ）の鎖線で示されるシール部材１３を参照）。
【００１６】
したがって、ゲート２が図１（ａ）に実線で示す閉鎖位置に存在するときは、シール部材１３がゲート２の背面に密着してトラフ１の開口部１ａは完全に密閉され、スカムを除去しない待機時に、沈殿池ａの水がトラフ１内に侵入するのを確実に防止することができる。
【００１７】
図１（ｂ）中、１５は、ゲート２の両側（図１（ｂ）には、ゲート２の一方の側しか示されていないが、他方の側も同様に構成されている。）の端面２′に設けられた、上記シール部材１１，１３と同じ材質からなるシール部材である。すなわち、このシール部材１５は、ゲート２の端面２′の長手方向に亘って設けられている。そして、このシール部材１５は、トラフ１の側面から沈殿池側に延設された側板１′に常に当接されるように構成されている。したがって、ゲート２の閉鎖位置から開放位置までの間のいずれの位置においても、ゲート２の両側は水密状態が保持され、ゲート２の両側からの水の流入を効果的に防止することができる。
【００１８】
なお、図１（ｂ）においては、ゲート２の下端部とトラフ１の間に設けられている水密軸受けは、図面を簡略化するために省略されているが、この水密軸受け部分は、上述したように、シール部材１１により水密状態が保たれている。
【００１９】
図３は、水密軸受けの他の例を示す断面図である。ここに示される水密軸受け１０′は、円弧面を有するシール部材１１′、すなわち、扇形のシール部材１１′のその扇形の円弧部分にゲート２の下端部２″が摺動するように構成されている。そして、ゲート２は、ゲート２の回転中心位置が扇形の要の部分、すなわち、円弧の中心位置１１″と一致するように設けられている。
【００２０】
この水密軸受け１０′においても、ゲート２の下端部２″が、常時、扇形のシール部材１１′の円弧部分に当接できるので、沈殿池ａ内の水が不用意にトラフ１内に流入するのを防止することができる。
【００２１】
【発明の効果】
本発明によれば、ゲートの下部には水の通過を許さない水密軸受けが設けられているので、ゲートの回動を良好に維持することができる。また、シール部材にトラフの開口部の下辺及び両側辺に沿って連続し、かつ、前記開口部の下側壁及び両側壁から前記ゲート側に突出して、閉鎖位置に回動された前記ゲートに密着するものを用いるので、ゲートの下辺及び側辺とトラフの開口部の周辺との間からのトラフへの漏水を確実に防止することができるとともに、ゲート閉鎖時には、トラフの開口部を確実に密閉することができる。つまり、ゲートの回動を良好に維持した状態でトラフの漏水を確実に防止することができる。
【図面の簡単な説明】
【図１】  （ａ）は、本発明の一実施の形態に係るスカム除去装置のトラフの縦断面図、（ｂ）は、トラフの一方の端部の一部分の拡大斜視図である。
【図２】  水密軸受けの分解斜視図である。
【図３】  水密軸受けの他の例を示す断面図である。
【図４】  従来のスカム除去装置を説明するための断面図である。
【図５】  図４に示されるトラフの一方の端部部分の拡大斜視図である。
【符号の説明】
１  トラフ
１′  側板
２  ゲート
２′端面
１０，１０′  水密軸受け
１１，１１′  シール部材
１２  支持部材
１３  シール部材（第２のシール部材）
１５  シール部材
【図１】
0004311825.tif 000002
【図２】
0004311825.tif 000003
【図３】
0004311825.tif 000004
【図４】
0004311825.tif 000005
【図５】
0004311825.tif 000006